(57)【要約】【課題】開口部の開閉を容易にできる開閉装置を提供する。【解決手段】開閉装置１は、開口部３を開閉する開閉体１１を備える。この開閉体１１には、開閉体１１のスラット１５の表面から離反する方向への変形により手掛部分となる操作部３３を有する手掛操作体３１を設ける。手掛操作体３１は、開閉体１１のスラット１５の表面に沿った略板状に一体形成する。手掛操作体３１は、操作部３３と面接触してこの操作部３３の変形を規制する変形規制面部を有する。【選択図】　　　　図１
2004076413.tif 000002
【特許請求の範囲】
【請求項１】
開口部を開閉する開閉体と、
この開閉体に設けられ、前記開閉体から離反する方向への変形により手掛部分となる操作部を有する手掛操作体と
を備えることを特徴とする開閉装置。
【請求項２】
手掛操作体は、その全体が開閉体に沿った略板状に一体形成されている
ことを特徴とする請求項１記載の開閉装置。
【請求項３】
手掛操作体は、操作部と接触してこの操作部の変形を規制する変形規制部を有する
ことを特徴とする請求項１または２記載の開閉装置。
【請求項４】
手掛操作体の操作部は、開口部を閉鎖する際に前記開閉体から離反する方向への変形により手掛部分となる閉用操作部と、前記開口部を開口させる際に前記開閉体から離反する方向への変形により手掛部分となる開用操作部とにて構成されている
ことを特徴とする請求項１ないし３のいずれか一記載の開閉装置。
【請求項５】
開閉体は、巻体に対して巻取りおよび巻戻し可能となっている
ことを特徴とする請求項２記載の開閉装置。
【請求項６】
開口部を開閉する開閉体と、
この開閉体に設けられた手掛操作体とを備え、
前記手掛操作体は、操作時には前記開閉体の表面から離反する方向への弾性変形により手掛部分となり、非操作時には弾性に基づく復元により前記開閉体の表面に沿った状態となる操作部を有する
ことを特徴とする開閉装置。
【請求項７】
開口部を開閉する開閉体を構成する開閉体構成部材の表面に沿った略板状に一体形成された手掛操作体であって、
前記開閉体構成部材の表面から離反する方向への変形により手掛部分となる操作部を有する
ことを特徴とする手掛操作体。
【請求項８】
開口部を開閉する開閉体を構成する開閉体構成部材の表面に沿った略板状に一体形成された手掛操作体であって、
操作時には前記開閉体構成部材の表面から離反する方向への弾性変形により手掛部分となり、非操作時には弾性に基づく復元により前記開閉体構成部材の表面に沿った状態となる操作部を有する
ことを特徴とする手掛操作体。
【発明の詳細な説明】
【０００１】
【発明の属する技術分野】
本発明は、開口部の開閉を容易にできる開閉装置および手掛操作体に関する。
【０００２】
【従来の技術】
従来の窓シャッタ装置等の開閉装置では、例えば開閉体を構成するスラットのカール部に手を掛けて、開閉体を上下方向に動かし、開口部を開いたり閉じたりしている。
【０００３】
【発明が解決しようとする課題】
しかしながら、上記従来の開閉装置では、例えばスラットのカール部に手を掛けるのに手間取ったり、スラットの形状によっては手を掛けられない等により、開口部の開閉を容易にできないおそれがある。
【０００４】
本発明は、このような点に鑑みなされたもので、開口部の開閉を容易にできる開閉装置および手掛操作体を提供することを目的とする。
【０００５】
【課題を解決するための手段】
請求項１記載の開閉装置は、開口部を開閉する開閉体と、この開閉体に設けられ、前記開閉体から離反する方向への変形により手掛部分となる操作部を有する手掛操作体とを備えるものである。
【０００６】
そして、開閉体に設けられた手掛操作体の操作部を操作することにより、開口部の開閉を容易にすることが可能である。
【０００７】
請求項２記載の開閉装置は、請求項１記載の開閉装置において、手掛操作体は、その全体が開閉体に沿った略板状に一体形成されているものである。
【０００８】
そして、手掛操作体の全体を開閉体に沿った略板状に一体形成したため、手掛操作体を設けることによる悪影響が少なくなる。
【０００９】
請求項３記載の開閉装置は、請求項１または２記載の開閉装置において、手掛操作体は、操作部と接触してこの操作部の変形を規制する変形規制部を有するものである。
【００１０】
そして、手掛操作体の変形規制部によって、操作部が必要以上に変形することを適切に防止可能である。
【００１１】
請求項４記載の開閉装置は、請求項１ないし３のいずれか一記載の開閉装置において、手掛操作体の操作部は、開口部を閉鎖する際に前記開閉体から離反する方向への変形により手掛部分となる閉用操作部と、前記開口部を開口させる際に前記開閉体から離反する方向への変形により手掛部分となる開用操作部とにて構成されているものである。
【００１２】
そして、手掛操作体の操作部を構成する閉用操作部および開用操作部を操作することで、開口部の開閉をより一層容易にすることが可能である。
【００１３】
請求項５記載の開閉装置は、請求項２記載の開閉装置において、開閉体は、巻体に対して巻取りおよび巻戻し可能となっているものである。
【００１４】
そして、開閉体が巻体に対して巻取りおよび巻戻し可能であるから、例えば巻体による開閉体の巻径の増大が抑制され、コンパクト性が保持される。
【００１５】
請求項６記載の開閉装置は、開口部を開閉する開閉体と、この開閉体に設けられた手掛操作体とを備え、前記手掛操作体は、操作時には前記開閉体の表面から離反する方向への弾性変形により手掛部分となり、非操作時には弾性に基づく復元により前記開閉体の表面に沿った状態となる操作部を有するものである。
【００１６】
そして、操作時には開閉体の表面から離反する方向への弾性変形により手掛部分となり、非操作時には弾性に基づく復元により開閉体の表面に沿った状態となる操作部を利用することで、開口部の開閉を容易にすることが可能である。
【００１７】
請求項７記載の手掛操作体は、開口部を開閉する開閉体を構成する開閉体構成部材の表面に沿った略板状に一体形成された手掛操作体であって、前記開閉体構成部材の表面から離反する方向への変形により手掛部分となる操作部を有するものである。
【００１８】
そして、手掛操作体を設けることによる悪影響が少なくなり、操作部を操作することにより開口部の開閉を容易にすることが可能である。
【００１９】
請求項８記載の手掛操作体は、開口部を開閉する開閉体を構成する開閉体構成部材の表面に沿った略板状に一体形成された手掛操作体であって、操作時には前記開閉体構成部材の表面から離反する方向への弾性変形により手掛部分となり、非操作時には弾性に基づく復元により前記開閉体構成部材の表面に沿った状態となる操作部を有するものである。
【００２０】
そして、手掛操作体を設けることによる悪影響が少なくなり、操作時には開閉体構成部材の表面から離反する方向への弾性変形により手掛部分となり、非操作時には弾性に基づく復元により開閉体構成部材の表面に沿った状態となる操作部を利用することで、開口部の開閉を容易にすることが可能となる。
【００２１】
【発明の実施の形態】
以下、本発明の一実施の形態の構成を図面を参照して説明する。
【００２２】
図１において、１は開閉装置で、この開閉装置１は、例えば建物２に形成された窓開口等の開口部３の室外側部分を開閉する手動式の窓シャッタ装置である。なお、建物２の開口部３の室内側部分は、例えばサッシ窓装置４にて開閉される。
【００２３】
この開閉装置１は、上下方向に長手状の左右一対のガイドレール６を備え、これら両ガイドレール６は、開口部３を介して互いに離間対向した状態に配置されている。各ガイドレール６には、断面略コ字状なす上下方向のガイド溝部７が長手方向に沿って形成されている。
【００２４】
また、両ガイドレール６の下端部間には、左右方向に長手状の下枠８が配置されている。さらに、両ガイドレール６の上端部間には、左右方向に長手状で下面を開口した略箱形状の収容ケース体９が下枠８と離間対向して配置されている。
【００２５】
そして、この収容ケース体９内には、左右方向に長手状の巻軸等の巻体１０が回転可能に配置されている。この巻体１０には、開口部３の室外側部分を開閉する開閉体１１が巻取りおよび巻戻し可能に設けられている。
【００２６】
ここで、開閉体１１は、巻体１０に対して巻取りおよび巻戻し可能なもので、閉移動方向（例えば下方）への移動（例えば下降）により開口部３を閉鎖し、開移動方向（例えば上方向）への移動（例えば上昇）により開口部３を開口させるシャッタカーテンである。
【００２７】
すなわち、開口部３の閉鎖時には、開閉体１１は、巻体１０から巻き戻されて両ガイドレール６のガイド溝部７にて案内されつつ下降し、開口部３に沿った略平板状の閉状態となって開口部３の室外側部分を閉鎖する。また、開口部３の開口時には、開閉体１１は、巻体１０にて巻き取られて両ガイドレール６のガイド溝部７にて案内されつつ上昇し、略円筒状の開状態となって収容ケース体９内に収容されて開口部３の室外側部分を開口させる。
【００２８】
そして、この開閉体１１は、例えば複数の開閉体構成部材であるスラット１５と、閉移動方向先端部材である幅木１６とを有している。
【００２９】
各スラット１５は、図２および図３に示すように、例えば金属等にて左右方向に細長い略矩形板状に一体形成されたもので、その断面形状は室内側に向って凸の略円弧状である。
【００３０】
すなわち、各スラット１５は、例えば上下２つの平行な溝２１が形成された略矩形状の基板部２２と、この基板部２２の上下端部に傾斜状に連設された略矩形状の傾斜板部２３と、この各傾斜板部２３の端部に連設された略円弧状のカール部２４とにて構成されている。
【００３１】
そして、隣接するスラット１５同士は、カール部２４の嵌合により回動自在に連結されている。
【００３２】
また、図１に示されるように、閉移動方向先端つまり下端のスラット１５には幅木１６が取り付けられている。開移動方向先端つまり上端のスラット１５は巻体１０に取り付けられている。
【００３３】
さらに、閉移動方向（開移動方向）中間のスラット１５には、室内側から操作可能な略板状の手掛操作体３１がリベット等の取付具３２によってスラット１５の略全幅にわたって固定的に取り付けられている。
【００３４】
すなわち、例えば開口部３の閉鎖時に閉状態にある開閉体１１の上下方向略中央部に位置する１つのスラット１５の室内側の表面には、１つの弾性変形可能な手掛操作体３１がスラット１５の表面に重なり合うようにしてスラット１５の右端近傍から左端近傍にわたって固定的に取り付けられている。
【００３５】
この手掛操作体３１は、例えば合成樹脂等にて左右方向に細長い略矩形板状に一体形成されたもので、弾性変形前の状態では断面形状が室内側に向って凸の略円弧状となっている。つまり、この手掛操作体３１は、その全体がスラット１５の室内側の表面に沿った略円弧板状に一体形成されている。
【００３６】
そして、この手掛操作体３１は、図２および図３に示すように、スラット１５の基板部２２の室内側の表面にこの表面に沿って取付具３２にて固定的に取り付けられた略矩形状の取付板部３４を有している。
【００３７】
この取付板部３４の上端部には、開口部３を手動閉鎖する際に、開閉体１１のスラット１５の上側の傾斜板部２３の室内側の表面から離反する方向への弾性変形により開閉体１１表面に対して突出状の手掛部分となる略矩形状の閉用操作部である閉用操作板部３５が傾斜状に連設されている。
【００３８】
この閉用操作板部３５は、弾性変形前の状態では、スラット１５の上側の傾斜板部２３の表面に沿ってこの表面と重合して位置する。すなわち、この閉用操作板部３５は、手動操作時には開閉体１１のスラット１５の上側の傾斜板部２３の表面から離反する方向への曲げ弾性変形により突出状の手掛部分となり、手を離した非操作時には手掛操作体３１自体の弾性に基づく復元により開閉体１１の上側の傾斜板部２３の表面に沿った重合状態となるものである。
【００３９】
また、この取付板部３４の下端部には、開口部３を手動開口させる際に、開閉体１１のスラット１５の下側の傾斜板部２３の室内側の表面から離反する方向への弾性変形により開閉体１１表面に対して突出状の手掛部分となる略矩形状の開用操作部である開用操作板部３６が傾斜状に連設されている。
【００４０】
この開用操作板部３６は、弾性変形前の状態では、スラット１５の下側の傾斜板部２３の表面に沿ってこの表面と重合して位置する。すなわち、この開用操作板部３６は、手動操作時には開閉体１１のスラット１５の下側の傾斜板部２３の表面から離反する方向への曲げ弾性変形により突出状の手掛部分となり、手を離した非操作時には手掛操作体３１自体の弾性に基づく復元により開閉体１１の下側の傾斜板部２３の表面に沿った重合状態となるものである。
【００４１】
なお、上下一対をなす閉用操作板部３５および開用操作板部３６にて、操作時には開閉体１１の表面から離反する方向への弾性変形により突出状の手掛部分となり、非操作時には手掛操作体３１自体の弾性に基づく復元により開閉体１１の表面に沿った重合状態となる略板状の操作部３３が構成されている。
【００４２】
また一方、取付板部３４と閉用操作板部３５との連設部分には、一方側である室内側に向って開口した断面略三角状の第１切欠部３７が形成されている。そして、この取付板部３４の第１切欠部３７に臨んだ上端面が、閉用操作板部３５の下端面と面接触してこの閉用操作板部３５の必要以上の弾性変形を規制する第１変形規制面部３８となっている。
【００４３】
また同様に、取付板部３４と開用操作板部３６との連設部分には、一方側である室内側に向って開口した断面略三角状の第２切欠部４１が形成されている。そして、この取付板部３４の第２切欠部４１に臨んだ下端面が、開用操作板部３６の上端面と面接触してこの開用操作板部３６の必要以上の弾性変形を規制する第２変形規制面部４２となっている。
【００４４】
なお、第１変形規制面部３８および第２変形規制面部４２にて、操作部３３と面接触してこの操作部３３の変形を規制する変形規制部である変形規制面部４５が構成されている。また、取付板部３４には、取付具３２を通すための挿通孔４６が形成されている。さらに、開口部３を閉鎖する際に操作する閉用操作板部３５の上端面は、略円弧面状に形成されている。開口部３を開口させる際に操作する開用操作板部３６の下端面は略円弧面状に形成されている。
【００４５】
次に、上記一実施の形態の作用等を説明する。
【００４６】
開口部３を手動閉鎖する際には、手掛操作体３１の閉用操作板部３５に手を掛けて、開閉体１１を下降させる。
【００４７】
すなわち、幅木１６を利用して開閉体１１を所望位置まで下降させてから、図２に示すように、閉用操作板部３５をスラット１５の上側の傾斜板部２３の表面から離反する方向に人力にて折り曲げるように弾性変形させて、開閉体１１の表面に対して突出状の手掛部分とする。このとき、閉用操作板部３５は、弾性変形により、下端側を中心として開閉体１１の表面から離反する方向に下端面が第１変形規制面部３８に面接触するまで所定角度（例えば約４５°）回動し、引き出される。
【００４８】
そして、この手掛部分となった閉用操作板部３５に上から手を掛けて、開閉体１１を押し下げるように下降させることで、開閉体１１を巻体１０から巻き戻して、開口部３を閉鎖する。
【００４９】
なお、閉用操作板部３５から手を離せば、閉用操作板部３５は、手掛操作体３１自体の材質に基づく弾性によりもとの状態に復帰し、スラット１５の上側の傾斜板部２３の表面と重なり合う。
【００５０】
また、開口部３を手動開口させる際には、手掛操作体３１の開用操作板部３６に手を掛けて、開閉体１１を上昇させる。
【００５１】
すなわち、図３に示すように、開用操作板部３６をスラット１５の下側の傾斜板部２３の表面から離反する方向に人力にて折り曲げるように弾性変形させて、開閉体１１の表面に対して突出状の手掛部分とする。このとき、開用操作板部３６は、弾性変形により、上端側を中心として開閉体１１の表面から離反する方向に上端面が第２変形規制面部４２に面接触するまで所定角度（例えば約４５°）回動し、引き出される。
【００５２】
そして、この手掛部分となった開用操作板部３６に下から手を掛けて、開閉体１１を押し上げるように上昇させることで、開閉体１１を巻体１０に巻き取らせて、開口部３を開口させる。
【００５３】
なお、開用操作板部３６から手を離せば、開用操作板部３６は、手掛操作体３１自体の材質に基づく弾性によりもとの状態に復帰し、スラット１５の下側の傾斜板部２３の表面と重なり合う。そして、開用操作板部３６は、スラット１５の傾斜板部２３と重なり合った状態のままそのスラット１５とともに巻体１０に巻かれる。
【００５４】
このようにして、上記一実施の形態の開閉装置１によれば、開閉体１１に設けられた手掛操作体３１の操作部３３、つまり閉用操作板部３５および開用操作板部３６を室内側から操作することで、開閉体１１を適切に昇降させることができ、開口部３の開閉を容易かつ確実にできる。
【００５５】
また、手掛操作体３１の全体を開閉体１１のスラット１５の表面に沿った略板状に一体形成したため、構成が簡単であるばかりでなく、手掛操作体３１を設けることによる悪影響を少なくでき、例えば巻体１０による開閉体１１の巻径、すなわち略円筒状の開状態にある開閉体１１の外径が増大を抑制でき、コンパクト性を保持できる。
【００５６】
さらに、手掛操作体３１の変形規制面部４５、つまり第１変形規制面部３８および第２変形規制面部４２にて、それぞれ閉用操作板部３５および開用操作板部３６が必要以上に変形することを適切に防止でき、操作性が良好である。
【００５７】
なお、開閉装置１は、閉状態の開閉体１１の上下方向略中央部に位置する１つのスラット１５に１つの手掛操作体３１をそのスラット１５の略全幅にわたって取り付けた構成には限定されず、例えば、図示しないが、上下方向略中央部に位置する１つのスラット１５の左右両側に左右方向の長さが比較的短い手掛操作体３１をそれぞれ取り付けた構成や、１つのスラット１５に左右方向に短い手掛操作体３１を所定ピッチで複数取り付けた構成、さらには、例えば閉状態の開閉体１１の上下方向中間部に位置する２つのスラット１５に手掛操作体３１をそれぞれ取り付けた構成等でもよい。
【００５８】
また、手掛操作体３１は、閉用操作板部３５および開用操作板部３６の両方を有した構成には限定されず、閉用操作板部３５および開用操作板部３６の少なくとも一方を有する構成であればよい。
【００５９】
さらに、手掛操作体３１は、断面略円弧状の開閉体構成部材であるスラット（シャッタスラット）１５の表面に沿った略板状に一体形成されたものには限定されず、例えば断面略直線状の開閉体構成部材であるパネルやシート片の表面に沿った略板状に一体形成されたものでもよい。
【００６０】
また、開閉装置１は、開閉体１１と手掛操作体３１とを別体としたものには限定されず、例えば開閉体１１に手掛操作体３１を一体に設けたものでよい。
【００６１】
また一方、開閉装置１は、開口部３の周囲に固定された窓シャッタ装置には限定されず、例えば、図示しないが、その他の開口部の周囲に固定された他のシャッタ装置、雨戸、引戸、網戸等のドア装置、ブラインド装置、スクリーン装置等、或いは、これら装置のうちの同種または異種を複数並設したものでもよい。
【００６２】
また、開閉体１１の収納方式は、巻軸等の巻体１０の回転による巻取式には限定されず、例えば、折り畳み式、送り込み式、分離重合式等の任意のものとしてもよい。
【００６３】
さらに、開閉体１１は、閉移動方向を下方としかつ開移動方向を上方とする上下方向に移動可能なものには限定されず、例えば左右方向に移動可能なもの、床面等に沿って水平方向に移動可能なもの、床面等に対して傾斜した傾斜方向に移動可能なもの、或いは、これらの複合した方向に移動可能な構成としてもよい。
【００６４】
また、操作部３３の変形を規制する変形規制部は、操作部３３と面接触してこの操作部３３の変形を規制する変形規制面部４５には限定されず、例えば操作部３３と点接触して規制するものや、線接触して規制するもの等でもよい。
【００６５】
【発明の効果】
請求項１の発明によれば、開閉体に設けられた手掛操作体の操作部を操作することにより、開口部の開閉を容易にできる。
【００６６】
請求項２の発明によれば、手掛操作体の全体を開閉体に沿った略板状に一体形成したため、手掛操作体を設けることによる悪影響を少なくできる。
【００６７】
請求項３の発明によれば、手掛操作体の変形規制部によって、操作部が必要以上に変形することを適切に防止できる。
【００６８】
請求項４の発明によれば、手掛操作体の操作部を構成する閉用操作部および開用操作部を操作することで、開口部の開閉をより一層容易にできる。
【００６９】
請求項５の発明によれば、開閉体が巻体に対して巻取りおよび巻戻し可能であるから、例えば巻体による開閉体の巻径の増大を抑制でき、コンパクト性を保持できる。
【００７０】
請求項６の発明によれば、操作時には開閉体の表面から離反する方向への弾性変形により手掛部分となり、非操作時には弾性に基づく復元により開閉体の表面に沿った状態となる操作部を利用することで、開口部の開閉を容易にできる。
【００７１】
請求項７の発明によれば、手掛操作体を設けることによる悪影響を少なくできるばかりでなく、操作部を操作することにより開口部の開閉を容易にできる。
【００７２】
請求項８の発明によれば、手掛操作体を設けることによる悪影響を少なくできるばかりでなく、操作時には開閉体構成部材の表面から離反する方向への弾性変形により手掛部分となり、非操作時には弾性に基づく復元により開閉体構成部材の表面に沿った状態となる操作部を利用することで、開口部の開閉を容易にできる。
【図面の簡単な説明】
【図１】本発明の開閉装置の一実施の形態を示す側面図である。
【図２】同上開閉装置の手掛操作体を示す側面図である。
【図３】同上開閉装置の手掛操作体を示す側面図である。
【符号の説明】
１　　開閉装置
３　　開口部
１１　　開閉体
１５　　開閉体構成部材であるスラット
３１　　手掛操作体
３３　　操作部
３５　　閉用操作部である閉用操作板部
３６　　開用操作部である開用操作板部
４５　　変形規制部である変形規制面部
【図１】
2004076413.tif 000003
【図２】
2004076413.tif 000004
【図３】
2004076413.tif 000005